(57)【要約】【課題】アンテナ性能確保及びノイズ削減を行うことのできる携帯機器を提供すること。【解決手段】金属製のグランドピン１１７を地板１２５のグランドピン孔１２７に圧入固定し、グランドピン１１７に絶縁体１１６を圧入固定する。さらに、絶縁体１１６に金属製の給電ピン１１５を摺動可能に挿入する。給電ピン１１５の一方の端部をアンテナ１１０の給電部に接触させ、給電ピン１１５の他方の端部を回路基板１２０に接触させる。回路基板１２０のグランド電位に導通する回路押さえ１２３にバネ１２３ａを設け、バネ１２３ａをグランドピン１１７の表面に接触させる。【選択図】図１５
2015207855.tif 000002
【特許請求の範囲】
【請求項１】
アンテナと、
回路基板と、
前記アンテナの導電部に一方の端部が接触し、前記回路基板に他方の端部が接触するように配置され、前記アンテナと前記回路基板を電気的に接続する給電ピンと、
前記給電ピンの少なくとも一部を覆うように配置された導電性のシールドと、
前記給電ピンと前記シールドとの間に配置された絶縁体と、
を備えることを特徴とする携帯機器。
【請求項２】
前記アンテナ及び前記回路基板が取り付けられる非導電性の地板を備え、
前記シールドは、前記地板に固定される、
ことを特徴とする請求項１に記載の携帯機器。
【請求項３】
前記地板には前記シールドの固定部と縁部とが形成され、
前記シールドの外周部には段差が形成され、
前記シールドは、前記外周部の前記段差と、前記縁部とが接触することにより位置決めされる、
ことを特徴とする請求項１または請求項２に記載の携帯機器。
【請求項４】
前記シールドには内周部に段差が形成され、
前記絶縁体には外周部に段差が形成され、
前記絶縁体は、前記絶縁体の前記外周部の前記段差と、前記シールドの前記内周部の前記段差とが接触することにより位置決めされる、
ことを特徴とする請求項１乃至請求項３のいずれか１項に記載の携帯機器。
【請求項５】
前記給電ピンと前記シールドと前記絶縁体とが一体の給電部材として形成される、
ことを特徴とする請求項１乃至請求項４のいずれか１項に記載の携帯機器。
【請求項６】
前記給電ピンは、前記給電ピンのいずれの端部方向にも摺動可能である、
ことを特徴とする請求項５に記載の携帯機器。
【請求項７】
前記回路基板を覆う回路押さえを備え、
前記回路押さえは、前記シールドと前記回路基板のグランドとを電気的に接続する、
ことを特徴とする請求項１乃至請求項６のいずれか１項に記載の携帯機器。
【請求項８】
前記給電ピンは、前記アンテナに対して非平衡給電を行う、
ことを特徴とする請求項１乃至請求項７のいずれか１項に記載の携帯機器。
【請求項９】
前記携帯機器は、腕時計である、
ことを特徴とする請求項１乃至請求項８のいずれか１項に記載の携帯機器。
【発明の詳細な説明】
【技術分野】
【０００１】
本発明は、アンテナを備えた携帯機器に関する。
【背景技術】
【０００２】
ＧＰＳ衛星からの電波情報を取得し正確な時刻を表示するＧＰＳ時計において、電波を受信するためリング状のアンテナを用いた時計が提案されている。リング状のアンテナは、文字板の外周部分に配置され、リング状のアンテナよりも下方に配置された回路基板との導通には、スプリングピンが用いられる（例えば、特許文献１）。
【先行技術文献】
【特許文献】
【０００３】
【特許文献１】特開２０１３−６４７２３号公報
【発明の概要】
【発明が解決しようとする課題】
【０００４】
しかしながら、回路側から見ると、前記スプリングピンはアンテナの一部となってしまい、本来のアンテナ性能の低下や内部ノイズの影響を受け易い構造であった。
【０００５】
本発明は、上述した事情に鑑みてなされたものであり、アンテナ性能確保及びノイズ削減を行うことのできる携帯機器を提供することを解決課題としている。
【課題を解決するための手段】
【０００６】
以上の課題を解決するため、本発明に係る携帯機器は、アンテナと、回路基板と、前記アンテナの導電部に一方の端部が接触し、前記回路基板に他方の端部が接触するように配置され、前記アンテナと前記回路基板を電気的に接続する給電ピンと、前記給電ピンの少なくとも一部を覆うように配置された導電性のシールドと、前記給電ピンと前記シールドとの間に配置された絶縁体とを備えることを特徴とする。
【０００７】
本発明によれば、一方の端部がアンテナの導電部に接触し、他方の端部が回路基板に接触する給電ピンは、少なくとも一部が導電性のシールドに覆われ、給電ピンとシールドとの間には絶縁体が配置されている。したがって、これらの給電ピン、絶縁体、及びシールドにより、同軸ケーブルと同様の構造が実現され、アンテナ性能を確保すると共に、ノイズの削減が可能となる。
【０００８】
上述した携帯機器において、前記アンテナ及び前記回路基板が取り付けられる非導電性の地板を備え、前記シールドは、前記地板に固定されるようにしてもよい。この場合には、地板にアンテナと回路基板が取り付けられ、さらにシールドが地板に固定される。シールド内には給電ピンと絶縁体が配置されるので、同軸ケーブルと同様の構造を有するこれらの給電ピン、絶縁体、及びシールドにより、ノイズを削減しつつ、アンテナ性能を確保することができる。
【０００９】
上述した携帯機器において、前記地板には前記シールドの固定部と縁部とが形成され、前記シールドの外周部には段差が形成され、前記シールドは、前記外周部の前記段差と、前記縁部とが接触することにより位置決めされるようにしてもよい。この場合には、地板に形成された固定部には、内周側に縁部が形成されており、固定部にシールドを圧入することにより、固定部の縁部とシールドの外周部の段差が接触し、位置決めが行われる。その結果、シールドは給電ピンを確実に覆うことができ、アンテナ性能を確保すると共に、ノイズの削減が可能となる。
【００１０】
上述した携帯機器において、前記シールドには内周部に段差が形成され、前記絶縁体には外周部に段差が形成され、前記絶縁体は、前記絶縁体の前記外周部の前記段差と、前記シールドの前記内周部の前記段差とが接触することにより位置決めされるようにしてもよい。この場合には、シールドの内周部に絶縁体を圧入することにより、シールドの内周部の段差と絶縁体の外周部の段差が接触し、位置決めが行われる。その結果、シールドは絶縁体を確実に覆うことができ、アンテナ性能を確保すると共に、ノイズの削減が可能となる。
【００１１】
上述した携帯機器において、前記給電ピンと前記シールドと前記絶縁体とが一体の給電部材として形成されるようにしてもよい。この場合には、給電ピン、絶縁体、及びシールドが一体の給電部材となっているので、一体の給電部材を地板に圧入すれば良く、組立工数が削減される。
【００１２】
上述した携帯機器において、前記給電ピンは、前記給電ピンのいずれの端部方向にも摺動可能であるようにしてもよい。この場合には、給電ピン、絶縁体、及びシールドが一体の給電部材とした場合でも、給電ピンのアンテナ及び回路基板に対する接触状態を良好に保つ。
【００１３】
上述した携帯機器において、前記回路基板を覆う回路押さえを備え、前記回路押さえは、前記シールドと前記回路基板のグランドとを電気的に接続するようにしてもよい。この場合には、シールドの電位が回路基板のグランド電位となるので、アンテナ性能を確保すると共に、ノイズを確実に削減することが可能となる。
【００１４】
上述した携帯機器において、前記給電ピンは、前記アンテナに対して非平衡給電を行うようにしてもよい。この場合には、単体の給電ピンによりアンテナに対する給電が行われるので、構造が簡素化される。
【００１５】
上述した携帯機器において、前記携帯機器は、腕時計であってもよい。この場合には、受信性能の良い腕時計を提供可能となる。
【図面の簡単な説明】
【００１６】
【図１】本発明の実施形態に係る電子時計を含むＧＰＳの全体図である。
【図２】電子時計の全体を示す斜視図である。
【図３】電子時計の全体を示す６面図である。
【図４】電子時計の概略を示す部分断面図である。
【図５】電子時計の外観を示す概略平面図である。
【図６】電子時計の電気制御ブロック図である。
【図７】アンテナの外観を示す平面図である。
【図８】アンテナの外観を示す底面図である。
【図９】アンテナ、地板、給電ピン、絶縁体、及びグランドピンの外観を示す展開斜視図である。
【図１０】地板の外観を示す平面図である。
【図１１】地板に、グランドピン、絶縁体及び給電ピンが取り付けられた状態を示す展開斜視図である。
【図１２】地板に、グランドピン、絶縁体及び給電ピンが取り付けられた状態を示す平面図である。
【図１３】図１１に示す状態から、地板にアンテナを設置した状態を示す展開斜視図である。
【図１４】図１１に示す状態から、地板にアンテナを設置した状態を示す平面図である。
【図１５】給電ピン、絶縁体、及びグランドピンの設置位置周辺の断面図である。
【図１６】給電ピンの断面図である。
【図１７】給電ピン、絶縁体、地板及びグランドピンの展開断面図である。
【図１８】給電ピン、絶縁体、及びグランドピンの展開斜視図である。
【図１９】回路押さえを取り付けた電子時計を底面側から見た斜視図である。
【図２０】本発明の給電構造を用いた場合のアンテナの受信特性を示す図である。
【図２１】比較例の給電構造を用いた場合のアンテナの受信特性を示す図である。
【図２２】本発明の第２実施形態における給電ピン、絶縁体、及びグランドピンの設置位置周辺の断面図である。
【図２３】給電ピンの断面図である。
【発明を実施するための形態】
【００１７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜第１実施形態＞
＜Ａ：電子時計の概要＞
図１乃至図２１を参照しつつ本発明の第１実施形態について説明する。図１は、本発明の第１実施形態に係る電子時計を含むＧＰＳの全体図である。まず、携帯機器の一例としての電子時計が、外部信号としての電波を用いて、現在地の位置情報と、時刻情報とを求めるＧＰＳの概要を説明する。
【００１９】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２０】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２１】
ＧＰＳ衛星８は原子時計を搭載しており、衛星信号は原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００２２】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２３】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２４】
図２及び図３に示すように、電子時計１０は、外装ケース３０と、カバーガラス３３と、裏蓋３４とを備えている。外装ケース３０は、金属で形成されていた円筒状のケース３１に、セラミックで形成されたベゼル３２が嵌合されて構成されている。このベゼル３２の内周側に、プラスチックで形成されたリング状のダイヤルリング４０を介して、円盤状の文字板１１が時刻表示部分として配置されている。
【００２５】
文字板１１には、指針２１，２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００２６】
外装ケース３０の側面には、文字板１１の中心により、８時方向の位置にＡボタン６１と、１０時方向の位置にＢボタン６２と、２時方向の位置にＣボタン６３と、４時方向の位置にＤボタン６４と、３時方向の位置にリュウズ５０とが、設けられている。これらのＡボタン６１、Ｂボタン６２、Ｃボタン６３、Ｄボタン６４及びリュウズ５０が操作されることにより、操作に応じた操作信号が出力される。
【００２７】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００２８】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。
【００２９】
アンテナ１１０は、リング形状の誘電体を基材として、これに金属のアンテナパターンをメッキや銀ペースト印刷などにより形成したものである。アンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、この誘電体の波長短縮によってアンテナを小型化できる。
【００３０】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３１】
文字板１１と、駆動機構１４０が取り付けられている地板１２５との間には、光発電を行ソーラーパネル１３５が備えられている。ソーラーパネル（太陽電池）１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５及び地板１２５には、指針軸２５と、第１小窓７０の指針７１、第２小窓８０の指針８１及び第３小窓９０の指針９１の指針軸（図示せず）とが貫通する孔が形成されているとともに、カレンダー小窓１５の開口部が形成されている。
【００３２】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３３】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。
また、この回路基板１２０とアンテナ１１０とは、給電ピン１１５を用い接続されている。アンテナ１１０にはアンテナパターンが形成されており、このアンテナパターンに給電ピン１１５の一方の端部が接触している。給電ピン１１５は金属で形成されており、給電ピン１１５の他方の端部は、回路基板１２０に接触している。これにより、アンテナ１１０への給電が行われる。給電ピン１１５は、絶縁体１１６に内包され、絶縁体１１６はグランドピン１１７に内包されている。給電ピン１１５及び絶縁体１１６を内包したグランドピン１１７は、地板１２５に形成された貫通孔に圧入固定される。詳しくは後述する。
回路基板１２０の下方には、回路基板１２０のグランド電位に接続された回路押え１２３が設けられている。回路押さえ１２３にはバネ１２３ａが形成されており、バネ１２３ａはグランドピン１１７と接触している。詳しくは後述する。
【００３４】
地板１２５は、プラスチック部品で構成されており、内部に駆動機構１４０及び二次電池１３０の取り付け部を有し、上面にはソーラーパネル１３５と文字板１１の固定部が設けられている。
【００３５】
＜Ｂ：電子時計の表示機能＞
【００３６】
次に、電子時計１０の表示機能について説明する。図５は、電子時計の外観を示す概略平面図である。
図５に示すように、文字板１１の最外周には、外周を６分割〜６０分割にする目盛と、さらに、その目盛を５分割にする１／５目盛とが、表記されている。この目盛を用いて、指針２１はクロノグラフ機能の「秒」を表示し、指針２２は内部時計の「分」を表示し、指針２３は内部時計の「時」を表示する。なお、クロノグラフ機能は、Ｃボタン６３と、Ｄボタン６４との操作で、使用することができる。
【００３７】
文字板１１に設けられている、円形の第１小窓７０の外周には、外周を６０分割にする目盛と、「１０」から「６０」までの１０刻みの数字が表記されている。指針７１は、この目盛を用いてクロノグラフ機能の「分」を表示する。
【００３８】
文字板１１に設けられている円形の第２小窓８０の外周には、外周を６０分割にする目盛と、「０」から「１１」までの数字が表記されている。指針８１は、この目盛を用いて内部時計の「秒」を表示する。
第２小窓８０の５２秒の位置にアルファベットの「Ｙ」と、３８秒の位置にアルファベットの「Ｎ」の英字が表記されている。この英字は、衛星信号の受信結果（Ｙ：受信成功、Ｎ：受信失敗）と、衛星信号の自動受信（Ｙ：自動受信ＯＮ、Ｎ：自動受信ＯＦＦ）の設定とを表す。使用者がＢボタン６２を操作することにより、指針８１が「Ｙ」または「Ｎ」のいずれか一方を指示し、衛星信号の受信結果を表示する。また、使用者がＡボタン６１とＢボタン６２とを操作して、指針８１を「Ｙ」または「Ｎ」に合わせることで、衛星信号の自動受信のＯＮ／ＯＦＦを設定することができる。また、使用者がＢボタン６２を操作して、電子時計１０に衛星信号を手動受信させた時、指針７１は、衛星の捕捉数量を表示する。
なお、本実施形態では、５２秒の位置に「Ｙ」の表記が、３８秒の位置に「Ｎ」の表記が、設けられているが、これに限定されるものではない。「Ｙ」と「Ｎ」との表記は、受信結果表示を含む小窓が設けられる位置に応じて、視認しやすい位置に設けることが好ましい。
【００３９】
文字板１１に設けられている円形の第３小窓９０の外周について説明する。以下の外周の範囲の説明において、「ｎ時方向」（ｎは任意の自然数）とあるが、これは第３小窓９０の中央から円形の外周をみたときの方向である。
第３小窓９０の１２時方向から６時方向までの範囲の外周には、この範囲を６分割する目盛と「０」から「５」までの数字が表記されている。指針９１は、この目盛を用いて、クロノグラフ機能の「時」を表示する。なお、クロノグラフ機能では、指針２１，７１，９１を使用して５時間５９分５９秒までの計時が可能となっている。
【００４０】
第３小窓９０の６時方向から７時方向の範囲の外周には、「ＤＳＴ」の英字と「○」の記号が表記されている。ＤＳＴ（daylight saving time）は夏時間を意味する。これらの英字と記号とは、夏時間（ＤＳＴ：夏時間ＯＮ、○：夏時間ＯＦＦ）の設定を表す。使用者がリュウズ５０とＢボタン６２を操作して、指針９１を「ＤＳＴ」または「○」に合わせることで、電子時計１０に夏時間のＯＮ／ＯＦＦを設定することができる。
【００４１】
第３小窓９０の７時方向から９時方向までの範囲の外周には、円周に沿って、９時方向の基端が太く、７時方向の先端が細い三日月鎌状の記号９２が表記されている。この記号９２は二次電池１３０（図４参照）のパワーインジケーターであり、電池の残量に応じて、指針９１が基端、先端、中間のいずれかを指し示す。
【００４２】
第３小窓９０の９時方向から１０時方向までの範囲の外周には、飛行機形状の記号９３が表記されている。この記号は、機内モードを表す。航空機の離着陸時は、航空法によって衛星信号の受信が禁止されている。使用者はＡボタン６１を操作し、指針９１で記号９３（機内モード）を選択することで、電子時計１０の衛星信号の受信を停止させることができる。
【００４３】
第３小窓９０の１０時方向から１２時方向までの範囲の外周には、「１」の数字と「４＋」の記号が表記されている。これらの数字と記号は、衛星信号の受信モードを表す。「１」はＧＰＳ時刻情報を受信し内部時刻が修正されたことを、「４＋」はＧＰＳ時刻情報と軌道情報とを受信し、内部時刻と後述するタイムゾーンとが修正されたことを意味する。使用者がＢボタン６２を操作することで、指針９１が「１」または「４＋」のいずれかを指示し、電子時計１０が直前に受信した衛星信号の受信モードを表示する。
【００４４】
カレンダー小窓１５は、文字板１１を矩形状に開口した開口部に設けられており、開口部から数字が視認可能となっている。この数字は、年月日の「日」を表す。
【００４５】
ここで、協定世界時（ＵＴＣ）と、時差と、標準時と、タイムゾーン（Time zone）との関係を説明する。
タイムゾーンとは、共通の標準時を使用する地域のことであり、現在、４０種類のタイムゾーンが存在している。各タイムゾーンは、標準時とＵＴＣとの時差で区別され、例えば、日本は、ＵＴＣより９時間進んだ標準時を使用する、＋９時間のタイムゾーンに属している。各タイムゾーンで使用されている標準時は、ＵＴＣと、ＵＴＣとの時差とで求めることができる。
【００４６】
上述したように、文字板１１には、６０分割された分及び秒を表示する目盛が刻まれ、文字板１１の外周部を囲むダイヤルリング４０には、この目盛に沿って、ＵＴＣとの時差を表す時差情報４５が数字と、数字以外の記号と、で表記されている。数字の時差情報４５は整数の時差であり、記号の時差情報４５は整数以外の時差であることを表している指針２２，２３，８１で表示されて内部時刻と、ＵＴＣとの時差は、リュウズ５０の操作により指針２１の指し示す時差情報４５で確認することができる。
電子時計１０は、文字板１１に設けられている６０分割された目盛の一目盛に一時差を割り当てることで最大６０個までの異なる時差に対応した内部時刻を表すことができる。なお、本実施形態では、「ＵＴＣ」記号の時差情報４５は時差の基準である世界協定時を表し、「・」記号の時差情報４５は整数以外の時差を表しているが、他の記号を用いて表記をしてもよい。
【００４７】
本実施形態では、ダイヤルリング４０の「８」と「９」との数字の間に表記されている「・」記号の時差情報４５は、＋８．７５時間（＋８時間４５分）の時差を表し、ＵＴＣ＋８．７５時間を標準時として使用するタイムゾーンを意味する。現在この標準時を含め、全世界では４０種類のタイムゾーンが存在し、電子時計１０のダイヤルリング４０には、４０種類のタイムゾーンを表す時差が時差情報４５として表記されている。また、タイムゾーンの表示は６０種類以内とすることが好適である。６０種類を超えると表示が小さくなり、判別することが困難になる可能性がある。
【００４８】
ダイヤルリング４０の周囲に設けられているベゼル３２には、ダイヤルリング４０に表記されている時差情報４５の時差に対応した標準時を使用しているタイムゾーンの代表都市名を表す都市情報３５が、時差情報４５に併記されている。本実施形態では、都市名を三文字のアルファベットで略したスリーレターコードを使用して都市情報３５が表記されている。「ＬＯＮ」はロンドン、「ＰＡＲ」はパリ、「ＣＡＩ」はカイロ、「ＪＥＤ」はジッダ、「ＤＸＢ」はドバイ、「ＫＨＩ」はカラチ、「ＤＥＬ」はデリー、「ＤＡＣ」はダッカ、「ＢＫＫ」はバンコク、「ＢＪＳ」北京、「ＴＹＯ」は東京、「ＡＤＬ」はアデレード、「ＳＹＤ」はシドニー、「ＮＯＵ」はネーメア、「ＷＬＧ」はウェリントン、「ＴＢＵ」はヌクアロファ、「ＣＸＩ」はキリスィマスィ島、「ＭＤＹ」はミッドウェー島、「ＨＮＬ」はホノルル、「ＡＮＣ」はアンカレッジ、「ＬＡＸ」はロサンゼルス、「ＤＥＮ」はデンバー、「ＣＨＩ」はシカゴ、「ＮＹＣ」はニューヨーク、「ＣＣＳ」はカラカス、「ＳＣＬ」はサンティアゴ、「ＲＩＯ」はリオデジャネイロ、「ＦＥＮ」はフェルナンド・デ・ノローニャ諸島、「ＰＤＬ」はアゾレス諸島をそれぞれ表している。例えば、「ＴＹＯ」のコードは東京を表し、このコードに対応してダイヤルリング４０に併記されている時差情報４５の数字「９」より、東京はＵＴＣ＋９時間の標準時を使用していることを容易に判断することができる。また、「ＣＸＩ」のコードはキリスィマスィ島を表し、このコードに対応してダイヤルリング４０に併記されている時差情報４５の数字「１４」より、キリスィマスィ島はＵＴＣ＋１４時間の標準時を使用していることを容易に判断することができる。なお、本実施形態では、表示スペースの制約と視認性の向上とのため、一部の時差情報４５の時差に対応する代表都市名の表記は省略されている。また、代表都市名の表記方法は一例であり、他の方法で表記してもよい。時差情報４５と都市情報３５との表記をタイムゾーン表示４６という。本実施形態では、全世界で使用されているタイムゾーンの数と等しいタイムゾーン表示４６が表記されている。
【００４９】
＜Ｃ：電子時計の電気的構成＞
次に、電子時計１０の電気的構成について説明する。
図６は、電子時計の電気制御ブロック図である。図６に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６１、Ｂボタン６２、Ｃボタン６３、Ｄボタン６４である。なお、電子時計１０は、電源となる充電可能な二次電池１３０（図４参照）を内蔵している。
【００５０】
受信部１２２は、アンテナ１１０を備え、アンテナ１１０を介して受信した衛星信号を処理してＧＰＳモ時刻情報や位置情報を取得する。アンテナ１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００５１】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００５２】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００５３】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００５４】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００５５】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００５６】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１（図５参照）により内部時刻が表示される。
【００５７】
＜Ｄ：電子時計におけるアンテナ給電部材の構成＞
次に、電子時計１０におけるアンテナ給電部材の構成について説明する。本実施形態においては、給電ピン１１５、絶縁体１１６、及びシールドとしてのグランドピン１１７により給電部材が構成されている。
図７はアンテナ１１０の平面図、図８はアンテナ１１０の底面図である。図７及び図８に示すように、本実施形態のアンテナ１１０はリング状に形成され、アンテナ１１０の上面には第１アンテナパターン１１２が形成されている。第１アンテナパターン１１２は、金属またはその他の導電性材料を用いてメッキまたはペースト印刷等を行うことにより形成する。図７に示すように、第１アンテナパターン１１２は、切欠き部１１２ａを有し、リングの一部を切り欠いたＣ形状に形成されている。
アンテナ１１０の内周側の側面には、第２アンテナパターン１１３が形成されている。第２アンテナパターン１１３は、第１アンテナパターン１１２と同様に、金属またはその他の導電性材料を用いてメッキまたはペースト印刷等を行うことにより形成する。第２アンテナパターン１１３は、図７に示すように円弧状の素子であり、第１アンテナパターン１１２と一定の間隔を保つように形成されている。第２アンテナパターン１１３の一方の端部は、底面導通部１１３ａを介して図８に示す底面の給電ランド部１１３ｂと接続されている。
給電ランド部１１３ｂは、後述するように、アンテナ１１０の底面側で給電ピン１１５と接触する。したがって、給電ランド部１１３ｂと接続された第２アンテナパターン１１３の底面導通部１１３ａは、給電ピン１１５を介して給電が行われる給電位置となる。この給電位置から図７に示す左回転方向側には、第２アンテナパターン１１３を所定長さ分だけ確保しているため、右旋偏波の電波を良好に受信することができる。
【００５８】
図９は、アンテナ１１０、地板１２５、給電ピン１１５、絶縁体１１６、及びグランドピン１１７を示す展開斜視図である。図７乃至図９に示すように、アンテナ１１０の外周には、切欠き部１１０ａが３箇所に形成されており、切欠き部１１０ａにはフランジ部１１０ｂが設けられている。フランジ部１１０ｂと、地板１２５のアンテナフック部１２５ｃとが係合することにより、アンテナ１１０の地板１２５に対する高さ方向の位置決めが行われる。
図８及び図９に示すように、アンテナ１１０の底面から底面に近い側面にかけて、切欠き部１１０ｃが６箇所に形成されている。切欠き部１１０ｃと、図９に示すように地板１２５に形成された凸部１２５ａとが係合することにより、アンテナ１１０の地板１２５に対する平面方向の位置決めが行われる。
【００５９】
図１０は地板１２５を示す平面図である。図９及び図１０に示すように、地板１２５は、アンテナ１１０を平面方向に位置決めするための凸部１２５ａと、アンテナ１１０を高さ方向に位置決めするためのアンテナフック部１２５ｃと、アンテナ１１０を高さ方向に付勢する付勢部１２５ｄ，１２５ｅと、給電ピン１１５及び絶縁体１１６を内包するグランドピン１１７が圧入固定されるグランドピン孔１２７とを備えている。グランドピン穴１２７は、グランドピン１１７を固定する固定部として機能する。
【００６０】
グランドピン孔１２７には、地板１２５の底面側からグランドピン１１７が圧入固定され、グランドピン１１７には、地板１２５の上面側から絶縁体１１６が圧入固定される。さらに、絶縁体１１６には、地板１２５の上面側から給電ピン１１５が挿入される。詳しくは後述する。
【００６１】
図１１は、地板１２５のグランドピン孔１２７にグランドピン１１７及び絶縁体１１６を圧入固定し、さらに給電ピン１１５を挿入した状態を示す展開斜視図、図１２は図１１に示す状態の地板１２５を示す平面図である。
図１１及び図１２に示すように、給電ピン１１５の先頭は、地板１２５におけるアンテナ１１０の設置面に位置することになり、設置面にアンテナ１１０を設置することにより、給電ピン１１５とアンテナ１１０の給電ランド部１１３ｂとが接触することになる。
【００６２】
図１３は図１２に示す状態から、地板１２５におけるアンテナ１１０の設置面に、アンテナ１１０を設置した状態を示す展開斜視図、図１４は図１３に示す状態の地板１２５及びアンテナ１１０を示す平面図である。
図１３及び図１４に示すように、アンテナ１１０の外周の切欠き部１１０ｃと、地板１２５の凸部１２５ａとが係合することにより、アンテナ１１０の地板１２５に対する平面方向（周方向）の位置決めが行われる。
また、図１３及び図１４に示すように、アンテナ１１０の外周の切欠き部１１０ａに設けられたフランジ部１１０ｂと、地板１２５のアンテナフック部１２５ｃとが係合することにより、アンテナ１１０の地板１２５に対する下方向の位置決めが行われる。
【００６３】
図１５は、給電ピン１１５が設置された箇所の一部拡大断面図、図１６は、給電ピン１１５の一部拡大断面図である。図１５に示すように、グランドピン孔１２７には金属製のグランドピン１１７が挿入されており、グランドピン１１７の内部には、樹脂製の絶縁体１１６が挿入されている。また、絶縁体１１６の内部には、金属製の給電ピン１１５が挿入されている。
給電ピン１１５は、図１６に示すように、固定端子１１５ａ、胴部１１５ｂ、バネ１１５ｃ、及び摺動端子１１５ｄを備えている。胴部１１５ｂは、上端部に鍔部１１５ｂ−１が形成された中空円筒状の部材であり、前記上端部及び下端部に開口が形成されている。
固定端子１１５ａは、鍔部１１５ａ−１と、鍔部１１５ａ−１の上面に形成された凸状球面部１１５ａ−２と、鍔部１１５ａ−１の下面に形成された軸部１１５ａ−３とが一体に形成されている。固定端子１１５ａの軸部１１５ａ−３は、胴部１１５ｂの上端部の開口に挿入され、胴部１１５ｂと嵌め合わされる。固定端子１１５ａの凸状球面部１１５ａ−２は、図１５に示すように、アンテナ１１０の給電ランド部１１３ｂと接触する先端部である。
摺動端子１１５ｄは、針状の部材であり、胴部１１５ｂの中空内壁面と摺動する第１摺動部１１５ｄ−１と、胴部１１５ｂの下端部における開口内壁面と摺動する第２摺動部１１５ｄ−２と、先端突起部１１５ｄ−３とが一体に形成されている。摺動端子１１５ｄの先端突起部１１５ｄ−３は、図１５に示すように、回路基板１２０と接触する先端部である。
固定端子１１５ａと摺動端子１１５ｄとの間には、バネ１１５ｃが配置されており、摺動端子１１５ｄは、固定端子１１５ａ及び胴部１１５ｂに対して、図１６における矢印Ａ方向に付勢される。したがって、給電ピン１１５を図１５に示すように配置することにより、摺動端子１１５ｄにおける先端突起部１１５ｄ−３の回路基板１２０に対する接触状態が良好に維持される。また、給電ピン１１５は絶縁体１１６に対して上下方向に摺動可能であり、給電ピン１１５の固定端子１１５ａは、摺動端子１１５ｄに対して逆方向に付勢されることになるので、固定端子１１５ａの給電ランド部１１３ｂに対する接触状態が良好に維持される。
【００６４】
次に、図１７及び図１８を参照しつつ、絶縁体１１６及びグランドピン１１７の位置決めについて説明する。図１７は、給電ピン１１５、絶縁体１１６、地板１２５、及びグランドピン１１７の展開断面図、図１８は、給電ピン１１５、絶縁体１１６、及びグランドピン１１７の展開斜視図である。
図１７及び図１８に示すように、グランドピン１１７の外周部には、外側に突出した段差１１７ａが形成されている。また、地板１２５には、グランドピン孔１２７が地板１２５を貫通するように形成されており、地板１２５の底面部には、縁部１２５ｂが形成される。グランドピン１１７の中央部における外径Ｒ１は、グランドピン孔１２７の内径Ｒ３よりも小さく、グランドピン１１７はグランドピン孔１２７に圧入固定することが可能である。グランドピン１１７をグランドピン孔１２７に圧入固定することにより、グランドピン１１７の段差１１７ａが地板１２５の縁部１２５ｂに接触し、グランドピン１１７は地板１２５に対して位置決めされる。
絶縁体１１６の外周部には、外側に突出した段差１１６ａが形成されている。また、グランドピン１１７の内周部には、段差１１７ｂが形成されている。絶縁体１１６の中央部における外径Ｒ４は、グランドピン１１７の内径Ｒ２よりも小さく、絶縁体１１６はグランドピン１１７に圧入固定することが可能である。絶縁体１１６をグランドピン１１７に圧入固定することにより、絶縁体１１６の段差１１６ａがグランドピン１１７の段差１１７ｂに接触し、絶縁体１１６はグランドピン１１７に対して位置決めされる。
絶縁体１１６の内径Ｒ５は、給電ピン１１５の胴部１１５ｂの外径Ｒ６よりも十分に大きく、給電ピン１１５は絶縁体１１６に対して摺動できるようになっている。したがって、図１５に示すように、グランドピン孔１２７にグランドピン１１７を圧入固定し、グランドピン１１７に絶縁体１１６を圧入固定して、さらに絶縁体１１６に給電ピン１１５を挿入した後、回路基板１２０とアンテナ１１０を取り付けることにより、バネ１１５ｃによって付勢された摺動端子１１５ｄの先端突起部１１５ｄ−３が回路基板１２０に確実に接触し、その反力によって固定端子１１５ａの凸状球面部１１５ａ−２がアンテナ１１０の給電ランド部１１３ｂに確実に接触することになる。
【００６５】
グランドピン１１７は、グランドピン孔１２７に圧入固定した状態において、下側部分の表面が地板１２５から露出している。本実施形態では、回路押さえ１２３にバネ１２３ａを設け、バネ１２３ａをグランドピン１１７の表面に接触させている。図１９は地板１２５に回路押さえ１２３を取り付け、電子時計１０の底面側から見た斜視図である。回路押さえ１２３は、回路基板１２０のグランドと電気的に接続されておりグランド電位になっている。したがって、回路押さえ１２３に設けたバネ１２３ａを、図１９に示すようにグランドピン１１７に接触させることにより、グランドピン１１７はグランド電位になっている。
【００６６】
以上のように、本実施形態においては、中心導体である給電ピン１１５を絶縁体１１６が取り囲み、さらに絶縁体１１６を外部導体であるグランドピン１１７が取り囲んだ同軸ケーブルと同様の構造となっている。グランドピン１１７は、外部への信号漏洩や外部からの電波の侵入を遮断するシールドとして機能している。その結果、アンテナ１１０の受信感度を向上させることができる。
図２０に本実施形態の給電ピン１１５、絶縁体１１６、及びグランドピン１１７を用いた場合の左旋偏波の受信特性と右旋偏波の受信特性を示す図、図２１は絶縁体１１６及びグランドピン１１７を用いることなく給電ピン１１５のみを用いた比較例における左旋偏波の受信特性と右旋偏波の受信特性を示す図である。
図２０と図２１とを比較すると明らかなように、本実施形態の給電構造を用いることにより、左旋偏波の受信特性と右旋偏波の受信特性に明らかな差を確認することができる。本実施形態の場合には、右旋偏波を効率よく受信することができ、受信効率を向上させることができる。
また、本実施形態は、アンテナ１１０に対して非平衡給電を行うため、一組の給電ピン１１５、絶縁体１１６、及びグランドピン１１７を備えていればよく、構造の簡素化を図ることができる。
【００６７】
なお、絶縁体１１６の誘電率により、グランドピン１１７の内径と給電ピン１１５の外径が決定されるが、誘電率が小さい方がグランドピン１１７の内径を小さくできるため、時計などの小さな空間に配置するためには絶縁体１１６としては誘電率の低い材料が好ましい。
【００６８】
＜第２実施形態＞
本発明の第２実施形態について図２２及び図２３を参照しつつ説明する。本実施形態は、給電ピンを両端可動式に構成したところが第１実施例と異なる。
本実施形態の給電ピン１１５は、図２３に示すように、固定端子の代わりに摺動端子１１５ｅを用い、２つの摺動端子１１５ｄ，１１５ｅを備えている。
摺動端子１１５ｅは、針状の部材であり、胴部１１５ｂの中空内壁面と摺動する第１摺動部１１５ｅ−１と、胴部１１５ｂの上端部における開口内壁面と摺動する第２摺動部１１５ｅ−２と、先端突起部１１５ｅ−３とが一体に形成されている。先端突起部１１５ｅ−３はアンテナ１１０の給電ランド部１１３ｂと接触する部分である。
摺動端子１１５ｄは、第１実施形態と同様に、針状の部材であり、胴部１１５ｂの中空内壁面と摺動する第１摺動部１１５ｄ−１と、胴部１１５ｂの下端部における開口内壁面と摺動する第２摺動部１１５ｄ−２と、先端突起部１１５ｄ−３とが一体に形成されている。摺動端子１１５ｄの先端突起部１１５ｄ−３は、回路基板１２０と接触する部分である。
【００６９】
摺動端子１１５ｅと摺動端子１１５ｄとの間には、バネ１１５ｃが配置されており、摺動端子１１５ｅは、胴部１１５ｂに対して、図２３における矢印Ｂ方向に付勢される。摺動端子１１５ｄは、胴部１１５ｂに対して、図２３における矢印Ａ方向に付勢される。
本実施形態においては、図２２に示すように、絶縁体１１６と給電ピン１１５との間に隙間はなく、給電ピン１１５は絶縁体１１６に圧入国定される。つまり、本実施形態においては、給電ピン１１５、絶縁体１１６、及びグランドピン１１７が一体としてアンテナの給電部材を構成している。
このように給電部材を一体に形成した場合でも、摺動端子１１５ｅと摺動端子１１５ｄが胴部１１５ｂに対して付勢され、給電ピン１１５のいずれの先端部方向にも摺動可能となっている。そのため、給電ピン１１５を図２２に示すように配置することにより、摺動端子１１５ｅにおける先端突起部１１５ｅ−３のアンテナ１１０の給電ランド部１１３ｂに対する接触状態が良好に維持され、摺動端子１１５ｄにおける先端突起部１１５ｄ−３の回路基板１２０に対する接触状態が良好に維持される。
【００７０】
本実施形態においては、給電ピン１１５を両端可動式としたので、グランドピン１１７、絶縁体１１６、及び給電ピン１１５をすべて圧入等で固定でき、ユニット化することが可能なため、組立工数を削減することができる。
【００７１】
なお、本実施形態においても、絶縁体１１６の誘電率により、グランドピン１１７の内径と給電ピン１１５の外径が決定されるが、誘電率が小さい方がグランドピン１１７の内径を小さくできるため、時計などの小さな空間に配置するためには絶縁体１１６としては誘電率の低い材料が好ましい。
【００７２】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００７３】
（変形例１）
上述した実施形態においては、アンテナの一ヶ所のみに給電を行う非平衡給電のアンテナに本発明を適用した例について説明したが、本発明は、平衡給電のアンテナにも適用可能である。
【００７４】
（変形例２）
上述した実施形態においては、リング状のアンテナを備えた電気時計に本発明を適用した例について説明したが、本発明はこのような例に限定されるものではなく、パッチアンテナやチップアンテナあるいは逆Ｆアンテナ等を回路基板から離れた位置に配置する必要があるＧＰＳやＢｌｕｅｔｏｏｔｈ（登録商標）等を用いた携帯機器に適用可能である。
【００７５】
（変形例３）
上述した実施形態においては、地板にグランドピンを圧入固定する例について説明したが、例えば、地板と別体の地板受け部材にグランドピン孔を設け、地板受け部材のグランドピン孔にグランドピンを圧入固定するようにしてもよい。
【符号の説明】
【００７６】
１０…電子時計、１１…文字板、１２…文字板、３０…外装ケース、３１…ケース、３１ａ…庇、４０…ダイヤルリング、１１０…アンテナ、１１２…アンテナパターン、１１３…アンテナパターン、１１３ａ…底面導通部、１１３ｂ…給電ランド部、１１５…給電ピン、１１６…絶縁体、１１６ａ…段差、１１７…グランドピン、１１７ａ…段差、１１７ｂ…段差、１２３…回路押さえ、１２３ａ…バネ、１２５…地板、１２５ａ…凸部、１２５ｂ…縁部、１２５ｃ…アンテナフック部、１２５ｄ…付勢部、１２５ｅ…付勢部、１２７…グランドピン孔。
【図１】
2015207855.tif 000003
【図２】
2015207855.tif 000004
【図３】
2015207855.tif 000005
【図４】
2015207855.tif 000006
【図５】
2015207855.tif 000007
【図６】
2015207855.tif 000008
【図７】
2015207855.tif 000009
【図８】
2015207855.tif 000010
【図９】
2015207855.tif 000011
【図１０】
2015207855.tif 000012
【図１１】
2015207855.tif 000013
【図１２】
2015207855.tif 000014
【図１３】
2015207855.tif 000015
【図１４】
2015207855.tif 000016
【図１５】
2015207855.tif 000017
【図１６】
2015207855.tif 000018
【図１７】
2015207855.tif 000019
【図１８】
2015207855.tif 000020
【図１９】
2015207855.tif 000021
【図２０】
2015207855.tif 000022
【図２１】
2015207855.tif 000023
【図２２】
2015207855.tif 000024
【図２３】
2015207855.tif 000025